(57)【要約】【課題】良好な作業性の下で嵌合検知部材を取付けることができる嵌合検知タイプのコネクタを提供する。【解決手段】コネクタハウジング１０と、相手側コネクタの嵌合前ではプリセット位置まで進入したところでコネクタハウジング１０の第２ブリッジ１６（被当接部）に当接し、嵌合後には相手側コネクタによって第２ブリッジ１６（被当接部）への当接が解除されて更に進入することを以て嵌合を検知する嵌合検知部材２０と、を備え、嵌合検知部材２０は、プリセット位置に至る前の段階で支えを失うとコネクタハウジング１０への進入方向Ｄ１２に対して傾いた姿勢となり、コネクタハウジング１０には、第２ブリッジ部１６（被当接部）よりも、進入方向Ｄ１２の後方側に、傾いた姿勢の嵌合検知部材２０が係止する第１ブリッジ部１５（被係止部）が設けられている。【選択図】図４
2019003878.tif 000002
【特許請求の範囲】
【請求項１】
相手側コネクタと嵌合するコネクタであって、
コネクタハウジングと、
前記コネクタハウジングに対し、前記相手側コネクタの嵌合側へとスライド進入して取り付けられ、嵌合前ではプリセット位置まで進入したところで前記コネクタハウジングの被当接部に当接し、嵌合後には前記相手側コネクタによって前記被当接部への当接が解除されて更に進入することを以て嵌合を検知する嵌合検知部材と、を備え、
前記嵌合検知部材は、前記プリセット位置に至る前の段階で支えを失うと前記コネクタハウジングへの進入方向に対して傾いた姿勢となり、
前記コネクタハウジングには、前記被当接部よりも、前記進入方向の後方側に、前記傾いた姿勢の前記嵌合検知部材が係止する被係止部が設けられていることを特徴とするコネクタ。
【請求項２】
前記コネクタハウジングには、前記プリセット位置まで進入した前記嵌合検知部材に係止して、当該嵌合検知部材が前記進入方向とは逆方向に所定以上に後退しないように留める第１突起が、前記嵌合検知部材に向かって突出して設けられており、
前記嵌合検知部材には、前記プリセット位置まで進入すると前記第１突起に、前記進入方向の後方側が当接し、前記プリセット位置に至る前の段階では前記第１突起に、前記進入方向の前方側が当接する第２突起が、前記コネクタハウジングに向かって突出して設けられており、
前記嵌合検知部材は、前記プリセット位置に至る前の段階で支えを失うと、前記第１突起への前記第２突起の当接箇所を中心に回動して前記傾いた姿勢となることを特徴とする請求項１に記載のコネクタ。
【請求項３】
前記嵌合検知部材は、前記第２突起が前記第１突起を乗り越えて前記プリセット位置に至るものであり、
前記コネクタハウジングには、前記嵌合検知部材における前記第２突起よりも前記進入方向の前方側の被押圧部を、外力を受けて押圧して、前記嵌合検知部材を前記傾いた姿勢における傾きとは逆向きに傾かせて前記第２突起を浮かせることで、前記第２突起が前記第１突起を乗り越える際の乗越え量を減らす押圧部が設けられていることを特徴とする請求項２に記載のコネクタ。
【請求項４】
前記コネクタハウジングにおける前記被係止部が、当該コネクタハウジングに設けられた前記嵌合検知部材の少なくとも一部の進入路の途中に、当該進入路を跨いで設けられたブリッジ部であり、
前記嵌合検知部材には、前記プリセット位置に至る前の段階で前記傾いた姿勢となったときに前記ブリッジ部に係止するフック状の係止部が設けられていることを特徴とする請求項１〜３のうち何れか一項に記載のコネクタ。
【請求項５】
前記嵌合検知部材における前記係止部の、前記進入方向の前方側の端部が、嵌合前では前記プリセット位置まで進入したところで前記コネクタハウジングの前記被当接部に当接することを特徴とする請求項４に記載のコネクタ。
【請求項６】
前記嵌合検知部材には、前記進入方向に片持ち梁状に延出したビーク部が前記進入路に進入する前記一部として設けられ、
前記コネクタハウジングにおける前記被当接部が、前記進入路における、前記ブリッジ部よりも前記進入方向の前方側で前記進入路を跨いで設けられた第２ブリッジ部であり、
前記嵌合検知部材における前記係止部が、前記ビーク部の前記先端又は中途に設けられており、
前記嵌合前では、前記嵌合検知部材が前記プリセット位置まで進入したところで前記係止部が前記第２ブリッジ部に当接し、
前記嵌合後には、前記相手側コネクタによって前記係止部が前記第２ブリッジ部を潜る位置まで前記ビーク部を撓めつつ押圧されることで、前記嵌合検知部材の前記プリセット位置を超えた進入が可能となることを特徴とする請求項４又は５に記載のコネクタ。
【発明の詳細な説明】
【技術分野】
【０００１】
本発明は、相手側コネクタとの嵌合を検知する機能を備えた嵌合検知タイプのコネクタ、に関するものである。
【背景技術】
【０００２】
嵌合検知タイプのコネクタの多くは、相手側コネクタとの嵌合を機械的に検知するための嵌合検知部材を備えている（例えば、特許文献１参照。）。多くの嵌合検知部材は、相手側コネクタとの嵌合前にはプリセット位置まで進入可能で、嵌合後に更に進入することを以て相手側コネクタとの嵌合を検知するように構成されている。
【先行技術文献】
【特許文献】
【０００３】
【特許文献１】特開２００９−３０１７７５号公報
【発明の概要】
【発明が解決しようとする課題】
【０００４】
ここで、上記の嵌合検知部材の多くは、コネクタハウジングに対し、相手側コネクタとの嵌合側へとプリセット位置までスライド進入して取付けられる。このような取付けに際して、プリセット位置に至る前の段階で、例えば取付けに従事する作業者が嵌合検知部材から手を離す等といった場合に、嵌合検知部材が支えを失ってコネクタハウジングから脱落することがある。このため、このような脱落を抑えるために、作業者は、プリセット位置に至るまでは嵌合検知部材から手を離すことができず、取付けに際して不便を感じることがある。
【０００５】
従って、本発明は、上記のような問題に着目し、良好な作業性の下で嵌合検知部材を取付けることができる嵌合検知タイプのコネクタを提供することを目的とする。
【課題を解決するための手段】
【０００６】
上記課題を解決するために、本発明のコネクタは、相手側コネクタと嵌合するコネクタであって、コネクタハウジングと、前記コネクタハウジングに対し、前記相手側コネクタの嵌合側へとスライド進入して取り付けられ、嵌合前ではプリセット位置まで進入したところで前記コネクタハウジングの被当接部に当接し、嵌合後には前記相手側コネクタによって前記被当接部への当接が解除されて更に進入することを以て嵌合を検知する嵌合検知部材と、を備え、前記嵌合検知部材は、前記プリセット位置に至る前の段階で支えを失うと前記コネクタハウジングへの進入方向に対して傾いた姿勢となり、前記コネクタハウジングには、前記被当接部よりも、前記進入方向の後方側に、前記傾いた姿勢の前記嵌合検知部材が係止する被係止部が設けられていることを特徴とする。
【発明の効果】
【０００７】
本発明のコネクタによれば、プリセット位置に至る前の段階で支えを失うと嵌合検知部材は傾いた姿勢となって、コネクタハウジングの被係止部に係止するように構成されている。この傾いた姿勢での係止により、プリセット位置に至る前の段階で作業者が嵌合検知部材から手を離したとしても、嵌合検知部材のコネクタハウジングからの脱落が抑えられる。従って、本発明のコネクタによれば、作業者は、嵌合検知部材のコネクタハウジングからの脱落が抑えられた良好な作業性の下で嵌合検知部材を取付けることができる。
【図面の簡単な説明】
【０００８】
【図１】嵌合検知タイプのコネクタの一実施形態を示す図である。
【図２】プリセット位置における係止部の第２ブリッジ部への当接が、嵌合側から嵌合する相手側コネクタにより解除される様子を示す模式的な断面図である。
【図３】嵌合検知部材がコネクタハウジングに、プリセット位置に至るまでスライド進入して取り付けられる様子を、図２と同様の断面を参照して説明する模式図である。
【図４】プリセット位置に至る前の段階で支えを失った嵌合検知部材がコネクタハウジングへの進入方向に対して傾いた姿勢となる様子を示す模式図である。
【図５】嵌合検知部材が傾いて第２突起が浮くことで、第２突起が第１突起を乗り越える際の乗越え量が減る様子を示す模式図である。
【発明を実施するための形態】
【０００９】
以下、嵌合検知タイプのコネクタの一実施形態について説明する。
【００１０】
図１は、嵌合検知タイプのコネクタの一実施形態を示す図である。
【００１１】
図１に示されているコネクタ１は、相手側の雄型コネクタが矢印Ｄ１１方向から嵌合する雌型のコネクタであり、コネクタハウジング１０と、嵌合検知部材２０と、を備えている。尚、コネクタ１は、コネクタ端子等の他部品も備えているが、ここでは、これらの他部品については図示及び説明を割愛する。
【００１２】
コネクタハウジング１０は、嵌合側１１が開口した端子収容室１２を有している。コネクタハウジング１０の嵌合側１１とは反対側には、嵌合検知部材２０が進入方向Ｄ１２にスライド進入して取付けられるスライドレール１３と、嵌合検知部材２０から片持ち梁状に延出したビーク部２１が進入する進入路１４と、が設けられている。スライドレール１３は、コネクタハウジング１０の一対の外側面それぞれに計一対に設けられており、これら一対のスライドレール１３の相互間に進入路１４が設けられている。そして、進入路１４を跨ぐように第１ブリッジ部１５（被係止部）と第２ブリッジ部１６（被当接部）とが設けられ、第１ブリッジ部１５の近傍に、進入路１４に進入したビーク部２１の中途を覆うように押圧部１７が設けられている。コネクタハウジング１０には、嵌合側１１から、第２ブリッジ部１６、第１ブリッジ部１５、押圧部１７の順番で、各部が設けられている。
【００１３】
ここで、図１には、相手側コネクタの嵌合前で、コネクタハウジング１０に対し、相手側コネクタの嵌合側１１へと嵌合検知部材２０がプリセット位置までスライド進入して取り付けられた状態が示されている。嵌合検知部材２０のビーク部２１の先端には、後述するように第１ブリッジ部１５に係止するための係止部２１１が設けられている。図１に示されているプリセット位置とは、ビーク部２１の先端における係止部２１１が第２ブリッジ部１６に当接して、嵌合検知部材２０が進入方向Ｄ１２にそれ以上は進入不可となった位置である。プリセット位置における係止部２１１の第２ブリッジ部１６への当接は、嵌合側１１から嵌合する相手側コネクタにより以下に説明するように解除される。
【００１４】
図２は、プリセット位置における係止部の第２ブリッジ部への当接が、嵌合側から嵌合する相手側コネクタにより解除される様子を示す模式的な断面図である。この図２では、相手側コネクタによる当接解除の様子が、図１中のＶ１１−Ｖ１１線に沿った部分断面図によって示されている。
【００１５】
まず、ステップＳ１１では、嵌合検知部材２０が進入方向Ｄ１２にプリセット位置まで進入しており、ビーク部２１の先端に設けられた係止部２１１における、進入方向Ｄ１２の前方側が第２ブリッジ部１６に当接している。この状態において、相手側コネクタ５が、本実施形態のコネクタ１のコネクタハウジング１０における嵌合側１１から矢印Ｄ１１方向に嵌合する。本実施形態では、雄型の相手側コネクタ５は筒状となってコネクタハウジング１０を内包するように嵌合する。
【００１６】
続くステップＳ１２では、相手側コネクタ５の嵌合が完了している。このステップＳ１２では、嵌合後の相手側コネクタ５の先端５１が、第２ブリッジ部１６に当接した係止部２１１を、進入路１４の底面１４１に向かって押圧する。この押圧によりビーク部２１が進入路１４の底面１４１に向かって撓む。このとき筒状の相手側コネクタ５の先端５１は、第２ブリッジ部１６における、進入路１４の底面１４１の側よりも底面１４１寄りとなるように、その内側に向かって突出している。この相手側コネクタ５の先端５１に係止部２１１が押圧されてビーク部２１が撓むことで、係止部２１１は、第２ブリッジ部１６を潜って進入方向Ｄ１２へと更に進入することが可能となる位置まで進入路１４の底面１４１の側に近づく。これにより、プリセット位置における係止部２１１の第２ブリッジ部１６への当接が解除される。
【００１７】
ステップＳ１３では、ステップＳ１２においてコネクタハウジング１０との当接が解除された嵌合検知部材２０によって、相手側コネクタ５の嵌合完了が検知される。このステップＳ１３では、嵌合検知部材２０が、作業者によって押し込まれて進入方向Ｄ１２に更に進入することを以て嵌合が検知される。この段階では、ビーク部２１の先端における係止部２１１が第２ブリッジ部１６を潜ることで、嵌合検知部材２０が進入方向Ｄ１２へと更に進入する。
【００１８】
このようにして相手側コネクタ５の嵌合検知を行う嵌合検知部材２０は、作業者によって、以下に説明するようにコネクタハウジング１０に、プリセット位置に至るまでスライド進入して取り付けられる。
【００１９】
図３は、嵌合検知部材がコネクタハウジングに、プリセット位置に至るまでスライド進入して取り付けられる様子を、図２と同様の断面を参照して説明する模式図である。
【００２０】
まず、ステップＳ２１では、嵌合検知部材２０が、コネクタハウジング１０における上記の嵌合側１１とは反対側から、コネクタハウジング１０のスライドレール１３へと進入方向Ｄ１２にスライド進入して取付けられる。このとき、嵌合検知部材２０から延出するビーク部２１が進入路１４に進入する。ビーク部２１の、進入方向Ｄ１２の前方には、コネクタハウジング１０の押圧部１７が位置しており、ビーク部２１の先端に設けられた係止部２１１がこの押圧部１７を潜るようにビーク部２１は若干撓みつつ進入する。
【００２１】
ここで、コネクタハウジング１０における進入路１４の底面１４１には、次のような第１突起１８が、嵌合検知部材２０に向かって突出して設けられている。第１突起１８は、プリセット位置まで進入した嵌合検知部材２０に係止して、この嵌合検知部材２０が進入方向Ｄ１２とは逆方向に所定以上に後退しないように留める役割を果たす。また、嵌合検知部材２０には、次のような第２突起２２が設けられている。第２突起２２は、プリセット位置まで進入すると第１突起１８に、進入方向Ｄ１２の後方側が当接し、プリセット位置に至る前の段階では第１突起１８に、進入方向Ｄ１２の前方側が当接する。この第２突起２２は、ビーク部２１の根本よりも、進入方向Ｄ１２の後方側の位置でコネクタハウジング１０における進入路１４の底面１４１に向かって突出している。
【００２２】
ステップＳ２２では、嵌合検知部材２０の第２突起２２がコネクタハウジング１０の第１突起１８に当接するまで、嵌合検知部材２０が進入方向Ｄ１２に進入する。この当接段階では、嵌合検知部材２０は未だプリセット位置に至っておらず、嵌合検知部材２０は、この段階の後で、第２突起２２が第１突起１８を乗り越えて更に進入方向Ｄ１２に進入してプリセット位置に至るものとなっている。
【００２３】
このプリセット位置に至る前の段階において、作業者が、何らかの事情から嵌合検知部材２０から手を離し、嵌合検知部材２０が支えを失うと、嵌合検知部材２０は、以下に説明するようにコネクタハウジング１０への進入方向Ｄ１２に対して傾いた姿勢となる。
【００２４】
図４は、プリセット位置に至る前の段階で支えを失った嵌合検知部材がコネクタハウジングへの進入方向に対して傾いた姿勢となる様子を示す模式図である。
【００２５】
上記のように支えを失った嵌合検知部材２０は、第１突起１８への第２突起２２の当接箇所Ｐを中心に、ビーク部２１の先端が跳ね上がる回動方向Ｄ１３に回動して傾いた姿勢となる。本実施形態では、コネクタハウジング１０のスライドレール１３への嵌合検知部材２０の掛かり方が、このような回動を許容する程度にガタを持った掛かりとなっている。そして、この傾いた姿勢となったときに、ビーク部２１の先端におけるフック状の係止部２１１が、コネクタハウジング１０においてビーク部２１の進入路１４の途中を跨ぐように設けられた第１ブリッジ部１５に係止する。第１ブリッジ部１５は、進入路１４における、第１ブリッジ部１５よりも進入方向Ｄ１２の前方側で進入路１４を跨いで設けられている。図４に示されているように、係止部２１１は、進入方向Ｄ１２の後方側が、第１ブリッジ部１５における進入方向Ｄ１２の前方側に当接するように係止する。
【００２６】
この係止により、上記のように支えを失った嵌合検知部材２０の、コネクタハウジング１０からの、進入方向Ｄ１２とは反対方向への脱落が抑制される。
【００２７】
図３に示されている取付け作業では、上述したステップＳ２２に続いて、ステップＳ２３において、第２突起２２に第１突起１８を乗り越えさせて嵌合検知部材２０をプリセット位置へと至らせるための準備が行われる。このステップＳ２３では、作業者が押圧部１７に外力を加えて進入路１４の底面１４１に向かって矢印Ｄ１４方向に押下げる。これによりビーク部２１が、被押圧部として押圧部１７によって押圧される。嵌合検知部材２０は、この押圧により、図４に示されている傾いた姿勢における傾きとは逆向きに矢印Ｄ１５方向に傾く。この逆向きの傾きにより、第２突起２２が浮いて、この第２突起２２が第１突起１８を乗り越える際の乗越え量が減ることとなる。
【００２８】
図５は、嵌合検知部材が傾いて第２突起が浮くことで、第２突起が第１突起を乗り越える際の乗越え量が減る様子を示す模式図である。この図５には、嵌合検知部材２０の傾き前と傾き後とが図中に上下に並べて示されている。
【００２９】
嵌合検知部材２０の第２突起２２には、進入方向Ｄ１２の前方側に、コネクタハウジング１０における進入路１４の底面１４１の方を向くように傾斜した第２傾斜面２２１が設けられている。また、コネクタハウジング１０の第１突起１８には、進入方向Ｄ１２の後方側に、第２傾斜面２２１と対向するように第１傾斜面１８１が設けられている。第２突起２２が第１突起１８を乗り越える際には、第２傾斜面２２１が第１傾斜面１８１を摺擦するように乗越える。
【００３０】
このとき、嵌合検知部材２０の傾き前では、第２傾斜面２２１の略全面が第１傾斜面１８１の略全面を摺擦するような乗越え量ｄ１となる。他方、嵌合検知部材２０の傾き後で第２突起２２が浮いた状態では、第２傾斜面２２１の先端側の一部が第１傾斜面１８１の先端側の一部を摺擦するような乗越え量ｄ２となる。このように、傾き後の乗越え量ｄ２は、傾き前の乗越え量ｄ１よりも減ることとなる。
【００３１】
図３に示されている取付け作業では、ステップＳ２３において乗越え量が減らされた状態で、続くステップＳ２４で、作業者が、嵌合検知部材２０を進入方向Ｄ１２に押し込んで第２突起２２に第１突起１８を乗り越えさせる。この乗越えにより、嵌合検知部材２０は、ビーク部２１の先端の係止部２１１の、進入方向Ｄ１２の前方側の端部が、コネクタハウジング１０の第２ブリッジ部１６に当接するプリセット位置までスライド進入することとなる。この段階では、第２突起２２における進入方向Ｄ１２の後方側が第１突起１８に当接するようになり、それ以上は、嵌合検知部材２０が進入方向Ｄ１２とは逆方向に後退しないように留められる。この嵌合検知部材２０がプリセット位置に至るようにコネクタハウジング１０に取り付けられた状態で、コネクタ１が次工程に供されることとなる。
【００３２】
以上に説明した本実施形態のコネクタ１によれば、プリセット位置に至る前の段階で支えを失うと嵌合検知部材２０は傾いた姿勢となって、コネクタハウジング１０の第１ブリッジ部１５に係止するように構成されている。この傾いた姿勢での係止により、プリセット位置に至る前の段階で作業者が嵌合検知部材２０から手を離したとしても、嵌合検知部材２０のコネクタハウジング１０からの脱落が抑えられる。従って、本実施形態のコネクタ１によれば、作業者は、嵌合検知部材２０のコネクタハウジング１０からの脱落が抑えられた良好な作業性の下で嵌合検知部材２０を取付けることができる。
【００３３】
また、本実施形態のコネクタ１によれば、コネクタハウジング１０における第１突起１８に対する、嵌合検知部材２０における第２突起２２の当接という簡単な構成で、プリセット位置に至る前の段階で嵌合検知部材２０を回動させて傾けることができる。このような構成の簡単化により、コネクタ１における部品点数の低減や形状の単純化を図ることができるので製造コストを抑えることができる。
【００３４】
また、本実施形態のコネクタ１によれば、上記の押圧部１７に外力を加えることで、第２突起２２を浮かせて第１突起１８を乗り越える際の乗越え量を減らすことができる。この乗越え量の低減により、作業者は、嵌合検知部材２０を、取付抵抗が抑えられた一層良好な作業性の下でコネクタハウジング１０に取付けることができる。
【００３５】
また、本実施形態のコネクタ１では、第１ブリッジ部１５に対するフック状の係止部２１１という、簡単でありながら強固な係止構造が採用されている。このような係止構造の採用により、製造コストを抑えつつも嵌合検知部材２０のコネクタハウジング１０からの脱落を一層良好に抑えることができる。
【００３６】
また、本実施形態のコネクタ１では、嵌合検知部材２０の脱落を抑える係止部２１１が、プリセット位置まで進入したところでの嵌合検知部材２０のコネクタハウジング１０との当接にも利用されている。この利用により、例えば上記の係止部２１１とは別に、コネクタハウジング１０に当接する部位を嵌合検知部材２０に設けることに比べて、嵌合検知部材２０の構造が簡単なものとなるので、製造コストを抑えることができる。
【００３７】
また、本実施形態のコネクタ１では、片持ち梁状のビーク部２１の先端に、脱落抑制のための係止部２１１を設けるといった簡単な構造で、嵌合検知部材２０の脱落抑制とプリセット位置でのコネクタハウジング１０への当接とが両立されている。この簡単な構造の採用により、製造コストを一層抑えることができる。
【００３８】
尚、以上に説明した実施形態は代表的な形態を示したに過ぎず、この実施形態に限定されるものではない。即ち、骨子を逸脱しない範囲で上述したコネクタを種々変形して実施することができる。かかる変形によってもなお上述のコネクタにおける本質的な構成を具備する限り、勿論、範疇に含まれるものである。
【００３９】
例えば、上述した実施形態では、相手側コネクタと嵌合するコネクタの一例として、雌型のコネクタ１が例示されている。しかしながら、相手側コネクタと嵌合するコネクタは雌型に限るものではなく、雄型のコネクタであってもよい。
【００４０】
また、上述した実施形態では、嵌合検知部材においてコネクタハウジングに脱落抑制のために係止する構成の一例として、プリセット位置でコネクタハウジング１０に当接する役割も兼ねた係止部２１１が例示されている。しかしながら、脱落抑制のための構成は、これに限るものではなく、例えば、プリセット位置でコネクタハウジングに当接する部位とは別個に設けられるもの等であってもよい。ただし、これら２つの役割を兼ねた構成を設けることで構造の簡単化を図り製造コストを低減させることができる点は上述した通りである。
【００４１】
また、上述した実施形態では、嵌合検知部材においてプリセット位置でコネクタハウジングに当接し、相手側コネクタの嵌合により当接が解除される構成の一例として、片持ち梁状のビーク部２１の先端に設けられたフック状の係止部２１１が例示されている。しかしながら、プリセット位置での当接のための構成は、これに限るものではなく、例えば、嵌合検知部材の外面から突没自在に設けられる突起状の係止部等であってもよい。あるいは、ビーク部に係止部を設けるにしても、その位置は先端に限るものではなく、ビーク部の中途であってもよい。このように、プリセット位置での当接のための構成は、プリセット位置でコネクタハウジングに当接し、相手側コネクタの嵌合により当接が解除されるものであれば、その具体的な構成を問うものではない。
【００４２】
また、上述した実施形態では、プリセット位置に至る前の段階で支えを失った嵌合検知部材を傾かせる構成の一例として、コネクタハウジング１０の第１突起１８への嵌合検知部材２０の第２突起２２の当接箇所を中心とした回動で傾かせる構成が例示されている。しかしながら、嵌合検知部材を傾かせる構成は、これに限るものではなく、例えば嵌合検知部材の突起が一時的に嵌まり込む凹部をコネクタハウジングに設け、その嵌合箇所を中心とした回動で傾かせる構成等であってもよい。即ち、プリセット位置に至る前の段階で支えを失った嵌合検知部材を傾かせる構成であれば、その具体的な態様は適宜に設定し得るものである。
【符号の説明】
【００４３】
１    コネクタ
５    相手側コネクタ
１０  コネクタハウジング
１１  嵌合側
１２  端子収容室
１３  スライドレール
１４  進入路
１５  第１ブリッジ部
１６  第２ブリッジ部
１７  押圧部
１８  第１突起
２０  嵌合検知部材
２１  ビーク部
２２  第２突起
１４１  底面
２１１  係止部
Ｄ１２  進入方向
【図１】
2019003878.tif 000003
【図２】
2019003878.tif 000004
【図３】
2019003878.tif 000005
【図４】
2019003878.tif 000006
【図５】
2019003878.tif 000007